【事件の表示】
　特許第５７５４０８１号発明「沈砂池の集砂装置」の特許異議申立事件について、次のとおり決定する。
【結　論】
　特許第５７５４０８１号の明細書及び特許請求の範囲を訂正請求書に添付された訂正明細書及び特許請求の範囲のとおり、訂正後の請求項〔１、２〕、３について訂正することを認める。
　特許第５７５４０８１号の請求項１、３に係る特許を維持する
　特許第５７５４０８１号の請求項２に係る特許についての特許異議の申立てを却下する。 
【理　由】
１．手続の経緯
　本件特許第５７５４０８１号の請求項１〜３に係る特許についての出願は、平成２２年５月２５日に出願され、平成２７年６月５日付けでその特許権の設定登録がされ、その後、特許異議申立人　小橋　末子より特許異議の申立てがなされ、平成２８年５月１０日付けで取消理由が通知されたところ、平成２８年７月１２日に訂正請求がなされ、平成２８年１０月５日に特許異議申立人の意見書の提出がなされ、平成２８年１２月２６日付けで取消理由（決定の予告）が通知されたところ、平成２９年３月２日に訂正請求及び意見書の提出がなされ、平成２９年４月１３日に特許異議申立人の意見書の提出がなされたものである。  
 　　  
２．訂正の適否  
（１）訂正の内容  
　特許権者は、平成２９年３月２日付け訂正請求書において、次の訂正事項１〜１２に係る訂正を請求した（下線部は請求人の付した訂正箇所。なお、当該訂正請求がされたことにより、平成２８年７月１２日付け訂正請求は取り下げられたものとみなされる。）。
 　  
ア．訂正事項１  
　特許請求の範囲の請求項１に「ノズルから沈砂池の底面に低圧力水を噴射してその底面に堆積している土砂を主トラフに流し、」とあるのを、「ノズルから
排水状態の
池に低
前記沈砂池
　　
イ．訂正事項２
　特許請求の範囲の請求項１に「前記ノズルを前記沈砂池内の側壁の上部近傍に設置し、」とあるのを、「
前記ノズルには、前記沈砂池の側壁から斜め下方に離れた後、前記側壁に向かって斜め下方に延びるものを用い
前記沈砂池に下水が貯留されているときの通常の水面よりも上側において前記沈砂池の側壁の
　　
ウ．訂正事項３
　特許請求の範囲の請求項１に「前記沈砂池を沈砂池の水面が集砂ピット内にある排水状態として前記ノズルを前記沈砂池の水面から上方に位置させた後、」とあるのを、「前記沈砂池を沈砂池の水面が
前記
した
　　
エ．訂正事項４
　特許請求の範囲の請求項１に「前記ノズルから水を前記側壁の壁面の上部に噴射させて、」とあるのを、「前記ノズルから
吐出量０．１５〜０．３ｍ
3
／分の
に対して１５〜６０度の入射角度をもって
　　　
オ．訂正事項５
　特許請求の範囲の請求項２を削除する。
　　
カ．訂正事項６
　特許請求の範囲の請求項３に「ノズルから排水状態の沈砂池の底面に低圧力水を噴射してその底面に堆積している土砂を主トラフに流し、」とあるのを、「ノズルから排水状態の沈砂
池に
　
キ．訂正事項７
　特許請求の範囲の請求項３に「前記沈砂池の底面を沈砂池内水流方向に複数に区分してなる各領域の側壁の近傍に設置したノズルヘッダーに等間隔で取付けられたノズルを、そのノズルからの噴射水が前記側壁の上部の壁面に対して１５−６０度の入射角度をもって噴射されるように取り付けた」とあるのを、「
前記ノズルに、母管に接続され、前記沈砂池の側壁から斜め下方に離れる基管と、その基管に結合されたエルボと、そのエルボに結合され、前記側壁に向かって斜め下方に延びるノズルヘッドとからなるノズルを用い、前記ノズルを、
前記沈砂池に下水が貯留されているときの通常の水面よりも上側において
、
をもって、
吐出量０．１５〜０．３ｍ
3
／分の
　　　
ク．訂正事項８
　明細書の段落【０００７】に「沈砂池の底面に低圧力水を噴射して、底面に堆積した土砂を流すためのノズルを備えた沈砂池の集砂装置において、」とあるのを、「
排水状態の
池に低
前記沈砂池
　　　　　
ケ．訂正事項９
　明細書の段落【０００８】に「ノズルから沈砂池の底面に低圧力水を噴射してその底面に堆積している土砂を主トラフに流し、その主トラフの土砂を沈砂池の底部に設けた集砂ピットに集める低圧集砂方式の集砂方法において、前記ノズルを沈砂池の水面から上方に位置させた後、前記ノズルから水を前記側壁の壁面の上部に噴射させて、その壁面を洗浄するとともに、その壁面を流下する水により沈砂池の底面に堆積している土砂を主トラフに向けて流すことを特徴としている。」とあるのを、「ノズルから
排水状態の
池に
沈砂池
前記ノズルには、前記沈砂池の側壁から斜め下方に離れた後、前記側壁に向かって斜め下方に延びるものを用い
前記沈砂池に下水が貯留されているときの通常の水面よりも上側において前記沈砂池の側壁の
前記
した
吐出量０．１５〜０．３ｍ
3
／分の
に対して１５〜６０度の入射角度をもって
前記
前記
　　
コ．訂正事項１０
　明細書の段落【０００８】の末尾にある記載「本発明の他の特徴は、ノズルの吐出量を０．１５〜０．３ｍ3／分としたことである。」を削除する。　　
サ．訂正事項１１
　明細書の段落【０００９】に「沈砂池の底面を沈砂池内水流方向に複数に区分してなる各領域の側壁の近傍に設置したノズルヘッダーに等間隔で取付けられたノズルを、そのノズルからの噴射水が前記側壁の上部の壁面に対して１５−６０度の入射角度をもって噴射されるように取り付けた」とあるのを、「
前記ノズルに、母管に接続され、前記沈砂池の側壁から斜め下方に離れる基管と、その基管に結合されたエルボと、そのエルボに結合され、前記側壁に向かって斜め下方に延びるノズルヘッドとからなるノズルを用い、前記ノズルを、前記
前記沈砂池に下水が貯留されているときの通常の水面よりも上側において
をもって
から吐出量０．１５〜０．３ｍ
3
／分の
 　　  
シ．訂正事項１２
　明細書の段落【００１０】に「本発明によれば、壁面に付着した汚れを除去することができる。ノズルからの噴射水が位置エネルギーを利用して勢い良く側壁の壁面に沿って流下するため、壁面の汚れを洗浄できるばかりでなく、底面の側壁至近位置から土砂を流し去ることができる。沈砂池の非排水状態のときも、ノズルを下水中に浸漬させないことができるので、ノズルの特にヘッド内に汚れが付着することを避けることができる。また、ノズルから噴射される水が沈砂池の側壁の壁面の上部から下端部まで流下し、さらに、沈砂池の底面を流れるので、沈砂池の底面の側壁側部分に土砂を残留させることなく沈砂池の底面に堆積している全ての土砂の集砂を行なうことができる。噴射水が前記側壁の上部の壁面に対して１５−６０度の入射角度をもって噴射させると、ノズルから噴射される水を側壁から離れる方向に跳ね返らせずに、壁面に沿って流下させることができるので、壁面洗浄効果が向上する。」とあるのを、「本発明によれば、
ノズルは沈砂池に下水が貯留されているときの通常の水面よりも上側に設けられ、そのノズルから吐出量０．１５〜０．３ｍ
3
／分の水が側壁の壁面に対して１５〜６０度の入射角度をもって噴射されるので、その壁面が通常の水面以下の広い範囲において洗浄されるとともに、噴射水は
らず
を流
ため
そして、
全ての
良く
壁面を流下する水により沈砂池の壁面の側壁側部分に土砂を残留させることなく沈砂池の底面に堆積している全ての土砂の集砂を行うことができる。また、ノズルは沈砂池に下水が貯留されているときの通常の水面よりも上側に設けられているので、
ため
　　　
（２）訂正の目的の適否、新規事項の有無、実質上特許請求の範囲の拡張・変更の存否について  
ア．訂正事項１について
　訂正事項１は、訂正前の請求項１の沈砂池について「排水状態」との事項を付加し、「底面に低圧力水を噴射」との事項を削除するものである。
　そして、「排水状態」との事項を付加する点は、沈砂池を「排水状態」の沈砂池に限定するものであって、特許請求の範囲の減縮を目的とする。
　また、「底面に低圧力水を噴射」との事項を削除する点は、請求項１の後段にある「ノズルから…の水を前記側壁の壁面に対して…噴射させて、…その壁面を流下する水により前記沈砂池の底面に堆積している土砂を前記主トラフに向けて流す」との記載と、低圧力水の噴射される部位の点で整合しない記載を削除するものであって、明瞭でない記載の釈明を目的とするものである。
　そして、訂正事項１は、訂正前の明細書の段落【００３８】の記載等から導き出される事項であって新規事項の追加に該当せず、実質上、特許請求の範囲を拡張し、又は変更するものでない。  
　よって、訂正事項１は、特許法第１２０条の５第２項ただし書第１号及び第３号、並びに、同条第９項で準用する第１２６条第５、６項に適合する。  　　
　　　
イ．訂正事項２について
　訂正事項２は、訂正前の請求項１の「前記ノズル」を、「前記沈砂池の側壁から斜め下方に離れた後、前記側壁に向かって斜め下方に延びる」構造であって、「前記沈砂池に下水が貯留されているときの通常の水面よりも上側において前記沈砂池の側壁の近傍に設置」されるノズルに限定するのであって、特許請求の範囲の減縮を目的とする。  
　そして、訂正事項１のうち、「前記沈砂池の側壁から斜め下方に離れた後、前記側壁に向かって斜め下方に延びる」構造は、訂正前の明細書に添付された図面の【図９】及び明細書の段落【００１８】〜【００２０】の図９に係る記載等から導き出される事項であり、また、「前記沈砂池に下水が貯留されているときの通常の水面よりも上側において前記沈砂池の側壁の近傍に設置」されることは、訂正前の明細書に添付された図面の【図８】及び明細書の段落【００１７】の図８に係る記載等から導き出される事項であって新規事項の追加に該当せず、実質上、特許請求の範囲を拡張し、又は変更するものでない。  
　よって、訂正事項２は、特許法第１２０条の５第２項ただし書第１号、及び、同条第９項で準用する第１２６条第５、６項に適合する。  　　
　　　
ウ．訂正事項３について
　訂正事項３は、訂正前の請求項１の「排水状態として前記ノズルを前記沈砂池の水面から上方に位置させた後」との記載を「排水状態とした後」とするものである。
　ここで、「前記ノズル」は、訂正事項２によって「前記沈砂池に下水が貯留されているときの通常の水面よりも上側において前記沈砂池の側壁の近傍に設置」されるもの、すなわち、通常の水面よりも上側に設置されるものに限定されたといえる。
　しかるに、訂正前の請求項１の「排水状態として前記ノズルを前記沈砂池の水面から上方に位置させた後」との記載は、「前記ノズル」と通常の水面との位置関係は何ら問わないものであって、通常の水面よりも下側に設置されたものを含むとも解され得るものといえる。
　そうすると、訂正事項３は、訂正事項２によって限定された「前記ノズル」の設置と整合するように請求項１の記載を訂正するものであって、明瞭でない記載の釈明を目的とするものであり、新規事項の追加に該当せず、実質上、特許請求の範囲を拡張し、又は変更するものでない。
　よって、訂正事項３は、特許法第１２０条の５第２項ただし書第３号、及び、同条第９項で準用する第１２６条第５、６項に適合する。  　
　　
エ．訂正事項４について
　訂正事項４は、訂正前の請求項１の「ノズルから水を前記側壁の壁面の上部に噴射」における「噴射」を、「吐出量０．１５〜０．３ｍ3／分」であり、「壁面に対して１５〜６０度の入射角度をもって噴射」されるものに限定するものであって、特許請求の範囲の減縮を目的とする。  
　そして、「噴射」を、「吐出量０．１５〜０．３ｍ3／分」であり、「壁面に対して１５〜６０度の入射角度をもって噴射」されるものとすることは、訂正前の明細書の段落【００４０】の記載等から導き出される事項であって新規事項の追加に該当せず、実質上、特許請求の範囲を拡張し、又は変更するものでない。  
　よって、訂正事項４は、特許法第１２０条の５第２項ただし書第１号、及び、同条第９項で準用する第１２６条第５、６項に適合する。  　　
　　　
オ．訂正事項５について
　訂正事項５は、訂正前の請求項２を削除するものであって、特許請求の範囲の減縮を目的とするものであり、新規事項の追加に該当せず、実質上、特許請求の範囲を拡張し、又は変更するものでない。  
　よって、訂正事項５は、特許法第１２０条の５第２項ただし書第１号、及び、同条第９項で準用する第１２６条第５、６項に適合する。  　　
　　　
カ．訂正事項６について
　訂正事項６は、訂正前の請求項３の「ノズルから排水状態の沈砂池の底面に低圧力水を噴射して」を「ノズルから排水状態の沈砂池に低圧力水を噴射して」とするものであるが、請求項１の後段にある「そのノズルから…の噴出水が前記側壁の上部の壁面に対して…噴射される」との記載と、低圧力水の噴射される部位の点で整合しない記載を削除するものであって、明瞭でない記載の釈明を目的とするものであり、新規事項の追加に該当せず、実質上、特許請求の範囲を拡張し、又は変更するものでない。  
　よって、訂正事項６は、特許法第１２０条の５第２項ただし書第３号、及び、同条第９項で準用する第１２６条第５、６項に適合する。  　
　　
キ．訂正事項７について
　訂正事項７は、訂正前の請求項３の「ノズル」を「母管に接続され、前記沈砂池の側壁から斜め下方に離れる基管と、その基管に結合されたエルボと、そのエルボに結合され、前記側壁に向かって斜め下方に延びるノズルヘッドとからなる」構造であって、「前記沈砂池に下水が貯留されているときの通常の水面よりも上側において設置した」ものに限定するとともに、訂正前の請求項３の「噴射水」を「吐出量０．１５〜０．３ｍ3／分」のものに限定するものであって、特許請求の範囲の減縮を目的とする。  
　そして、「ノズル」を「母管に接続され、前記沈砂池の側壁から斜め下方に離れる基管と、その基管に結合されたエルボと、そのエルボに結合され、前記側壁に向かって斜め下方に延びるノズルヘッドとからなる」構造とすること、及び、「前記沈砂池に下水が貯留されているときの通常の水面よりも上側において設置した」ものとすることは、訂正事項２について上記したとおり、前者については【図９】及び明細書の段落【００１８】〜【００２０】の記載等、後者については【図８】及び明細書の段落【００１７】の記載等から導き出される事項である。
　また、「噴射水」を「吐出量０．１５〜０．３ｍ3／分」とすることは、訂正事項４について上記したとおり、明細書の段落【００４０】の記載等から導き出される事項であって新規事項の追加に該当せず、実質上、特許請求の範囲を拡張し、又は変更するものでない。  
　よって、訂正事項７は、特許法第１２０条の５第２項ただし書第１号、及び、同条第９項で準用する第１２６条第５、６項に適合する。  　　
　　
ク．訂正事項８〜１２について
　訂正事項８〜１２は、明細書の記載を、訂正事項１〜７による特許請求の範囲の訂正の内容に整合するように訂正するものであって、明瞭でない記載の釈明を目的とし、新規事項の追加に該当せず、実質上、特許請求の範囲を拡張し、又は変更するものでない。  
　よって、訂正事項８〜１２は、特許法第１２０条の５第２項ただし書第３号、及び、同条第９項で準用する第１２６条第５、６項に適合する。  
 　　　　　　  
（３）一群の請求項について  
　訂正前の請求項１、２は、請求項２が本件訂正の対象の請求項である請求項１を引用する関係にあるから、訂正前において一群の請求項に該当するものであって、訂正事項１〜５は、一群の請求項についてされたものである。また、訂正事項６〜７は、請求項１、２とは独立の請求項である請求項３についてされたものである。そして、訂正事項８〜１２は、請求項１、２と、請求項３とに関する明細書の記載についてされたものである。
　よって、本件訂正は、特許法第１２０条の５第４項及び同条第９項で準用する第１２６条第４項に適合する。  
 　　  
（４）むすび  
　したがって、上記訂正事項はいずれも、特許法第１２０条の５第２項、第４項、及び、同条第９項で準用する第１２６条第４〜６項に適合するので、訂正後の明細書及び特許請求の範囲の記載のとおり、訂正後の請求項〔１、２〕、３について訂正することを認める。
 　　　　　　  
３．当審の判断 
（１）訂正後の請求項１、３に係る発明 
　上記訂正請求により訂正された訂正後の請求項１、３は、次のとおりである（以下、これらの請求項に係る発明を「本件発明１」、「本件発明３」という）。 
 　　　 
【請求項１】 
　ノズルから排水状態の沈砂池に低圧力水を噴射して前記沈砂池の底面に堆積している土砂を主トラフに流し、その主トラフの土砂を前記沈砂池の底部に設けた集砂ピットに集める低圧集砂方式の集砂方法において、 
　前記ノズルには、前記沈砂池の側壁から斜め下方に離れた後、前記側壁に向かって斜め下方に延びるものを用い、前記ノズルを前記沈砂池に下水が貯留されているときの通常の水面よりも上側において前記沈砂池の側壁の近傍に設置し、
  前記沈砂池を沈砂池の水面が前記集砂ピット内にある排水状態とした後、前記ノズルから吐出量０．１５〜０．３ｍ3／分の水を前記側壁の壁面に対して１５〜６０度の入射角度をもって噴射させて、その壁面を洗浄するとともに、その壁面を流下する水により前記沈砂池の底面に堆積している土砂を前記主トラフに向けて流すことを特徴とする集砂方法。 
【請求項２】（削除） 
【請求項３】 
　ノズルから排水状態の沈砂池に低圧力水を噴射して前記沈砂池の底面に堆積している土砂を主トラフに流し、その主トラフの土砂を前記沈砂池の底部に設けた集砂ピットに集める低圧集砂方式の集砂装置において、 
　前記ノズルに、母管に接続され、前記沈砂池の側壁から斜め下方に離れる基管と、その基管に結合されたエルボと、そのエルボに結合され、前記側壁に向かって斜め下方に延びるノズルヘッドとからなるノズルを用い、
　前記ノズルを、前記沈砂池の底面を沈砂池内水流方向に複数に区分してなる各領域の側壁の近傍に前記沈砂池に下水が貯留されているときの通常の水面よりも上側において設置したノズルヘッダーに、等間隔をもって、そのノズルから吐出量０．１５〜０．３ｍ3／分の噴出水が前記側壁の上部の壁面に対して１５〜６０度の入射角度をもって噴射されるように取り付けたことを特徴とする集砂装置。」
　　　
（２）刊行物の記載 
　特許異議申立人が提出した刊行物は、次のとおりである。
　そして、平成２８年５月１０日付け取消理由で引用した刊行物は、これらの刊行物のうち、甲第１、３号証である。
　  
甲第１号証：特開２００８−１２６１４５号公報
甲第２号証：特公昭４２−１７５５４号公報
甲第３号証：特開平７−１００３０５号公報 
 　　  
　甲第１、３号証には、次の事項が記載されている。 
 　　  
［甲第１号証］ 
摘示１−１ 
「揚砂ポンプの砂吸込口を配設した集砂ピットに向かって低くなるよう傾斜した池底の形状を備えた沈砂池の底部に向かって水を噴射するように集砂ノズルを配設した沈砂池の集砂装置において、集砂ノズルを、水面上に配設するとともに、噴射水が沈砂池の側壁と池底とが接する隅角部の近傍域に到達するようにしたことを特徴とする沈砂池の集砂装置。」（【特許請求の範囲】【請求項１】） 
 　　 
摘示１−２
「 ・・・、さらに、この沈砂池１の側壁１４の内面で、水位レベルＷＬ（集砂時の水位レベルＷＬ１（本実施例においては、傾斜した池底１２が露出するレベル））よりも上方位置、すなわち、水面上に、集砂ノズル２を配設し、この集砂ノズル２に集砂用給水配管３を介して集砂用水を供給するための給水ポンプ４を接続するとともに、集砂ピット１１内に集めた砂を揚砂するようにした揚砂ポンプ５の砂吸込口５１を配設して構成する。」（段落【００２２】）
　　　
摘示１−３ 
「集砂ノズル２は、図３（ｃ）に示すように、集砂ノズル２より噴射される水が、沈砂池１の側壁１４の内面に沿う噴射水Ｘとなるように配設し、これによって、集砂ノズル２からの噴射水が沈砂池１の側壁１４と池底１２とが接する隅角部１０の近傍域に到達するようにする。 
　これにより、沈砂池１内に導入される汚水中の比較的軽量な汚砂やごみ等が沈砂池１のの側壁１４の内面に付着しても、集砂ノズル２より噴射される噴射水によって除去することができるとともに、沈砂池１の側壁１４と池底１２とが接する隅角部１０の近傍域を含む池底１２に堆積する汚砂を、集砂ピット１１に向けて強制的に移送することができる。」（段落【００２５】） 
 　　 
摘示１−４ 
「…集砂ノズル２ｂからの噴射水の水量は、揚砂ポンプ５により揚水される水量よりも少なく設定するようにし、これにより、水位レベルＷＬを、集砂時の水位レベルＷＬ１（本実施例においては、傾斜した池底１２が露出するレベル）まで低下させるようにする。…
　このように揚砂ポンプ５を所定時間駆動した後、給水ポンプ４及び揚砂ポンプ５を継続して駆動しつつ、…、同時に２つの集砂ノズル２ａ，２ｂより洗浄水が噴射されるようになり、ゾーンｂより上流側のゾーンａ内においては集砂ノズル２ａからの噴射水にてゾーンａ内の池底、特に、側壁１４と池底１２とが接する隅角部１０に堆積することなく側壁下部より池底に沿って移送され集砂トラフ１３内に集められるようになって沈降する。…  
　この場合、集砂ノズル２ａ，２ｂからの噴射水の水量と、揚砂ポンプ５により揚水される水量とを一致させることにより、集砂時の水位レベルＷＬ１を一定にした状態に保持することができる（以下の場合も同様）。」（段落【００２９】〜【００３０】） 
 　　 
摘示１−５ 
「このようにしてゾーンａ内の沈砂が集砂ピット１１内に集められ、揚砂ポンプ５の駆動にて揚砂された後、次にバルブを切り替える。すなわち、バルブ３ａを閉じ、バルブ３ｃを開くようにするとゾーンｃに配設された集砂ノズル２ｃより噴射水が噴射されることにより、ゾーンｃ内の沈降汚砂はゾーンａ内において生じた同じ現象にて、すなわち、ゾーンｃ内の噴射水にてゾーンｃ内の側壁１４と池底１２とが接する隅角部１０に堆積することなく側壁下部より池底に沿って移送され集砂トラフ内に集められ、この集砂トラフ内に沈降集砂された汚砂は該集砂トラフ内底の傾斜面に沿って集砂ピット１１内に導かれ、集砂ノズル２ｂからの噴射水の噴流により攪拌されつつ、砂吸込口５１より吸い込まれて揚砂配管５２、揚砂ポンプ５、揚砂排出配管５３を経て揚砂される。 
　次に、ゾーンｃ内の揚砂が完了するとバルブを切り替えてバルブ３ｃを閉じ、バルブ３ｄを開くようにするとゾーンｄに配設された集砂ノズル２ｄより噴射水が噴射されることにより、ゾーンｄ内の沈降汚砂はゾーンａ、ｃ内において生じた同じ現象により同様にして揚砂される。このように、バルブの切り替えにて順次ゾーン内の集砂、揚砂を行うことで沈砂池１内の汚水も同時に排出され、順次池内の水位は低下していく。 
　そして、最終のゾーンｅ内の集砂及び揚砂が完了すると、給水ポンプ４を停止してすべてのバルブ３ａ，３ｂ，３ｃ，３ｄ，３ｅを閉じ、揚砂ポンプ５のみを駆動するようにすると、集砂ピット１１内の残量汚水と共に揚砂も行われ、最終的にほぼすべての沈砂池１内の汚水、集砂を排出することができ、集砂ピット１１内の集砂が完了し、揚砂ポンプ５を停止する。」（段落【００３１】〜【００３２】） 
 　　 
摘示１−６ 
「【図１】 
 」 
 　　 
摘示１−７ 
「【図３】 
 」 
 　　　 
［甲第３号証］ 
摘示３−１ 
「すなわち、この実施例の第１の雨水沈砂池２の底部７においては、雨水沈砂池２の長さ方向の中央部分に底部７を幅方向に横断する第１のトラフ１２が形成され、雨水沈砂池２の幅方向の中央部分には第２のトラフ１３が形成されており、これらの第１および第２のトラフ１２，１３の交差部分に前記集砂ピット８が形成されている（図３）。 
 …  
　そして、これらの各領域の底部７の表面には、それぞれ前記第１のトラフ１２と平行に多数の小トラフ１４が形成されており、これらの小トラフ１４の間となる底部７の表面上には、この雨水沈砂池２の側壁に沿った位置にそれぞれ対応して給水ノズル１５が設置されている。」（段落【００２４】〜【００２９】） 
 　　　 
摘示３−２ 
「【図３】 
  
 」 
 　　 
摘示３−３ 
「【図５】 
  
 」 
 　　　 
（３）甲第１号証に記載された発明 
　上記（２）に摘示した事項からみて、甲第１号証には、「揚砂ポンプの砂吸込口を配設した集砂ピットに向かって低くなるよう傾斜した池底の形状を備えた沈砂池の底部に向かって水を噴射するように集砂ノズルを配設した沈砂池の集砂装置において、集砂ノズルを、水面上に配設するとともに、噴射水が沈砂池の側壁と池底とが接する隅角部の近傍域に到達するようにしたことを特徴とする沈砂池の集砂装置。」（摘示１−１）が記載されている。
　そして、段落【００２２】（摘示１−２）の記載等からみて、ノズル（２ａ）を通常の水位レベルＷＬよりも上方に設置し得ることが開示されているといえる。
　また、段落【００２９】〜【００３０】、【図１】（摘示１−４、１−６）の記載からみて、「ノズル（２ａ）を沈砂池内に位置させること」、及び、「水位レベルを集砂時の水位レベルＷＬ１まで低下させた後、ノズル（２ａ）から水を噴射すること」、すなわち、「沈砂池の水面が集砂ピット内にある排水状態としてノズル（２ａ）を沈砂池の水面から上方に位置させた後、水を噴射すること」が開示されているといえる。 
　さらに、段落【００２５】、【図３】（ｃ）（摘示１−３、１−７）の記載からみて、ノズル（２ａ）から噴射された水は、「側壁の内面に噴射されて、その内面を洗浄する」といえる。 
　そして、段落【００３１】〜【００３２】（摘示１−５）の記載からみて、同様な「以下の場合」として、集砂ノズル２ｃ、２ｄ、２ｅに、集砂ノズル２ａと同様の動作を行わせることが開示されているといえる。 
 　　 
　以上の事項からみて、甲第１号証には、次の集砂装置の発明、
「ａ　集砂ノズル２ａ、２ｃ、２ｄ、２ｅから沈砂池１の底面に向かって水を噴射してその底面に堆積している土砂を集砂トラフ１３に流し、その集砂トラフ１３の土砂を前記沈砂池１の底部に設けた集砂ピット１１に集める集砂方式の集砂装置において、
ｂ　前記集砂ノズル２ａ、２ｃ、２ｄ、２ｅを前記沈砂池１の通常の水位レベルＷＬよりも上側において前記沈砂池の側壁の近傍に設置し、
ｃ　沈砂池の水面が集砂ピット内にある排水状態とした後、
ｄ　前記集砂ノズル２ａ、２ｃ、２ｄ、２ｅから水を前記側壁１４の内面に沿って噴射させて、その内面を洗浄するとともに、
ｅ　その内面を流下する水により前記沈砂池１の底面に堆積している土砂を前記集砂トラフ１３に向けて流す、
ｆ　集砂装置。」 
及び上記集砂装置を用いる集砂方法、すなわち、
「ａ’集砂ノズル２ａ、２ｃ、２ｄ、２ｅから沈砂池１の底面に水を噴射してその底面に堆積している土砂を集砂トラフ１３に流し、その集砂トラフ１３の土砂を前記沈砂池１の底部に設けた集砂ピット１１に集める低動力集砂方式の集砂方法において、  
ｂ’前記集砂ノズル２ａ、２ｃ、２ｄ、２ｅを前記沈砂池１の通常の水位レベルＷＬよりも上側において前記沈砂池１内の側壁の上部近傍に設置し、  
ｃ’沈砂池の水面が集砂ピット内にある排水状態とした後、  
ｄ’前記集砂ノズル２ａ、２ｃ、２ｄ、２ｅから水を前記側壁１４の内面に噴射させて、その内面を洗浄するとともに、  
ｅ’その内面を流下する水により前記沈砂池１の底面に堆積している土砂を前記集砂トラフ１３に向けて流す、  
ｆ’集砂方法。」  
が記載されていると認められる（以下、順に、「引用発明１」、「引用発明２」という。）。
　 　 
（４）当審で通知した取消理由について
（４−１）本件発明１について
ア．対比
　本件発明１と、集砂方法の発明である引用発明２とを対比すると、引用発明２の「集砂ノズル２ａ、２ｃ、２ｄ、２ｅ」、「集砂トラフ１３」、「前記沈砂池１の通常の水位レベルＷＬよりも上側」、「側壁１４の内面」は、順に、本件発明１の「ノズル」、「主トラフ」、「前記沈砂池に下水が貯留されているときの通常の水面よりも上側」、「壁面」に相当するから、両者は、
「ノズルから排水状態の沈砂池に水を噴射して前記沈砂池の底面に堆積している土砂を主トラフに流し、その主トラフの土砂を前記沈砂池の底部に設けた集砂ピットに集める低圧集砂方式の集砂方法において、
　前記ノズルを前記沈砂池に下水が貯留されているときの通常の水面よりも上側において前記沈砂池の側壁の近傍に設置し、
前記沈砂池を沈砂池の水面が前記集砂ピット内にある排水状態とした後、前記ノズルから水を前記側壁の壁面に噴射させて、その壁面を洗浄するとともに、その壁面を流下する水により前記沈砂池の底面に堆積している土砂を前記主トラフに向けて流すことを特徴とする集砂方法。」  
の点で一致し、次の点で相違する。
　　
相違点１：本件発明１はノズルとして「沈砂池の側壁から斜め下方に離れた後、前記側壁に向かって斜め下方に延びるもの」を用いるのに対して、引用発明２は如何なるノズルを用いるか不明である点。 
 　　 
相違点２：ノズルからの水に関し、本件発明１は「低圧力」である「吐出量０．１５〜０．３ｍ3／分」の水を「前記側壁の壁面に対して１５〜６０度の入射角度をもって噴射」させるのに対して、引用発明２は如何なる吐出量、如何なる壁面に対する入射角度で噴射させるのか不明である点。
　　
イ．相違点の検討
　まず、相違点２について検討する。
　　　　
　本件訂正後の明細書の発明の詳細な説明の「上記いずれの領域におけるノズルヘッダーのノズル９ｂも、上述のように、沈砂池の排水状態において、・・・水をノズル１個当たり０．１５ｍ3／分の水量で側壁Ｗに向けて噴射するが、・・・壁面の上部に着地した水はその壁面に広がり、続いて壁面の下端部まで流下する。」（段落【００３８】）、「ノズル９ｂから噴射される水を側壁Ｗから離れる方向に跳ね返らせずに、壁面に沿って流下させるため、ノズルからの噴射中心線の側壁の内面に対する入射角度（図８のθ１）を、１５〜６０度の範囲に設定することが望ましい。ノズル９ｂからの吐出量は、０．１５〜０．３ｍ3／分、・・・とすることができる。」（段落【００４０】）との記載等からみて、本件発明１は、「ノズルの吐出量」を０．１５〜０．３ｍ3／分という低圧力のものとし、かつ、「噴射水の沈砂池の壁面に対する入射角度」を１５〜６０度とすることによって、噴射水が側壁から離れる方向に跳ね返らずに壁面を流下するため、壁面がごみ等の付着し易い通常の水面の高さ以下の広い範囲において洗浄される」という顕著な効果を奏するものと認められる。
　　
　これに対して、引用発明２は、水を「壁面に沿って」噴射するものであることからみて、壁面に対して１５度以上の大きな入射角度での噴射を設定するものとは認められない。
　また、引用発明２において、「壁面に沿って」噴射された水は、「底面に向か」うことからみて、壁面から離れる方向に跳ね返るものではないから、跳ね返りを考慮して、水の吐出量を０．１５〜０．３ｍ3／分と設定するものとも認められない。
　　
　さらに、甲第３号証をみても（摘示３−１〜３−３）、沈砂池の壁面へ噴射される水の入射角度及び吐出量について、何らの記載ないし示唆もない。
　　
　よって、ノズルからの水に関し、「低圧力」である「吐出量０．１５〜０．３ｍ3／分」の水を「前記側壁の壁面に対して１５〜６０度の入射角度をもって噴射」させることは、当業者が引用発明２及び甲第３号証に例示される周知技術に基づいて、当業者が容易になし得たものとはいえない。
　
ウ．まとめ
　以上のとおりであって、相違点２に係る点は当業者が容易になし得たものとはいえないから、相違点１について検討するまでもなく、本件発明１は、甲第１号証に記載された発明、及び、甲第３号証に例示される周知技術に基づいて、当業者が容易に発明をすることができたものとはいえない。
　　　
（４−２）本件発明３について
　上記（４−１）ア．で、本件発明１と引用発明２とを対比したのに準じて、本件発明３と引用発明１とを対比すると、両者は、少なくとも、次の点で相違する。
相違点：ノズルからの水に関し、本件発明３は「低圧力」である「吐出量０．１５〜０．３ｍ3／分」の水を「前記側壁の壁面に対して１５〜６０度の入射角度をもって噴射」させるのに対して、引用発明１は如何なる吐出量、如何なる壁面に対する入射角度で噴射させるのか不明である点。
　
　そして、当該相違点は、上記（４−１）ア．において、本件発明１と引用発明２との対比に関してあげた相違点２と同様の相違点であって、上記（４−１）イ．に相違点２について記載した理由と同様の理由によって、当該相違点に係る本件発明１の構成の点は、引用発明１及び甲第３号証に例示される周知技術に基づいて、当業者が容易に想到し得たものとはいえない。
　
　よって、本件発明３は、甲第１号証に記載された発明及び甲第３号証に例示される周知技術に基づいて、当業者が容易に発明をすることができたものとはいえない。
　　
（５）取消理由通知において採用しなかった特許異議申立理由について
　特許異議申立人は、上記の甲第１、３号証の他に、甲第２号証を提出しているので、甲第２号証に記載された技術的事項から上記（４−１）ア．に記載した相違点２及び（４−２）に記載した相違点に係る点を当業者が容易に想到し得たといえるか否か検討する。
　　　
　甲第２号証からは、消化法処理用汚水の前処理装置において、「洗浄水噴射ノズル５」から水が２０〜４０度の範囲の入射角度で噴射されて壁面を洗浄することが視認される（第２図参照）。
　しかしながら、引用発明１、２は、沈砂池を「排水状態」とした後に、側壁の壁面にノズルからの水を噴射するものであるのに対して、甲第２号証に記載された「洗浄水噴射ノズル５」は、沈砂池を「排水状態」とした後に側壁の壁面にノズルからの水を噴射するものではないから、仮に、甲第２号証に「洗浄水噴射ノズル５」から水が２０〜４０度の範囲の入射角度で噴射することが開示されていたとしても、斯かる２０〜４０度の範囲の入射角度を引用発明１、２に適用する動機付けが当業者においてあるとはいえない。
　ましてや、「ノズルの吐出量」を０．１５〜０．３ｍ3／分という「低圧力」のものとしたうえで、「噴射水の沈砂池の壁面に対する入射角度」を１５〜６０度とすることを当業者が甲第２号証に記載された技術的事項に基づいて容易になし得たことであるとはいえない。
　
　よって、甲第２号証に記載された技術的事項から、上記（４−１）ア．に記載した相違点２及び（４−２）に記載した相違点に係る点を当業者が容易に想到し得たものとはいえないから、当業者が、甲第１〜３号証に記載された発明に基づいて、本件発明１、３を容易に想到し得たものとする特許異議申立理由は、採用することができない。
　　
４．むすび  
　したがって、請求項１及び３に係る特許は、取消理由通知に記載した取消理由及び特許異議申立書に記載された特許異議申立理由によっては、取り消すことができない。そして、他に請求項１及び３に係る特許を取り消すべき理由を発見しない。
　また、本件訂正により請求項２に係る特許は削除されたので、請求項２に係る特許についての特許異議の申立ては、対象となる特許が存在しないものとなった。
　よって、結論のとおり決定する。　
【異議決定日】
平成２９年７月２４日（２０１７．７．２４）
【訂正の要旨】
審決（決定）の【理由】欄参照。
（５４）【発明の名称】
沈砂池の集砂装置
　【技術分野】
　【０００１】
　本発明は、下水処理設備の沈砂池に沈殿した土砂を集砂ピットに集める集砂方法および集砂装置に関する。
　【背景技術】
　【０００２】
　沈砂池内の水を排出した状態（排水状態）で沈砂池に設置したノズルから沈砂池の底面に３ｋｇ／
ｃｍ２
　【０００３】
　上記低圧集砂方式の集砂装置における沈砂池の側壁近傍のノズルは、沈砂池の底面を沈砂池内水流方向に複数に区分してなる各領域に対して沈砂池の側壁近傍に設置されたノズルヘッダーに、複数個が等間隔で取り付けられたものである。
　【０００４】
　ところで、沈砂池の底面は、沈砂池の底部の中央に向かって水平面に対して５−７度の傾斜角度を有する。そして、従来のノズルヘッダーのノズルは、図１５に示されているように、そのノズルの吐水の沈砂池底面に対する入射角度θが４５未満となるように取付けられている。
　【先行技術文献】
　【特許文献】
　【０００５】
　【特許文献１】特許第３３１５４８９号公報
　【発明の概要】
　【発明が解決しようとする課題】
　【０００６】
　沈砂池の底面に沈殿する土砂の量は、底面２ａの側壁Ｗに近い領域が最も多い。しかし、上記のように、従来のノズルヘッダーのノズルは、その吐水の沈砂池底面に対する入射角度が４５度未満に設定されているため、ノズルから噴射され沈砂池の底面に着地する水の全てがトラフ８ａ側に流れるので、ノズルからの吐水により有効に流れる土砂は、そのノズルからの吐水の沈砂池の底面―の着地位置からトラフ８ａ側の範囲に限られ、その着地位置から側壁までの間の堆積量が最も多い土砂Ｓが流されずに残留することがあるという問題があった。
　【０００７】
　本発明は、上記の事情に鑑みてなされたものであり、
排水状態の
池に
沈砂池の
　【課題を解決するための手段】
　【０００８】
　本発明は、上記目的を達成するため、ノズルか
ら排水状態の
池に低
沈砂池の
前記ノズルには、前記沈砂池の側壁から斜め下方に離れた後、前記側壁に向かって斜め下方に延びるものを用い、
前記沈砂池に下水が貯留されているときの通常の水面よりも上側において前記沈砂池の側壁の
前
前記
した
吐出量０．１５〜０．３ｍ３／分の
に対して１５〜６０度の入射角度をもって
前記
前記
　【０００９】
　本発明は、上記目的を達成するため、ノズルから排水状態の沈砂
池に
前記ノズルに、母管に接続され、前記沈砂池の側壁から斜め下方に離れる基管と、その基管に結合されたエルボと、そのエルボに結合され、前記側壁に向かって斜め下方に延びるノズルヘッドとからなるノズルを用い、前記ノズルを、前記
前記沈砂池に下水が貯留されているときの通常の水面よりも上側において
、
をもって
ら吐出量０．１５〜０．３ｍ３／分の
　【発明の効果】
　【００１０】
　本発明によれば、
ノズルは沈砂池に下水が貯留されているときの通常の水面よりも上側に設けられ、そのノズルから吐出量０．１５〜０．３ｍ３／分の水が側壁の壁面に対して１５〜６０度の入射角度をもって噴射されるので、その壁面が通常の水面以下の広い範囲において洗浄されるとともに、噴射水は
らず
を流
ため
　
そして、
全ての
良く
壁面を流下する水により沈砂池の底面の側壁側部分に土砂を残留させることなく沈砂池の底面に堆積している全ての土砂の集砂を行なうことができる。
　
また、ノズルは沈砂池に下水が貯留されているときの通常の水面よりも上側に設けられるので、
ため
　【図面の簡単な説明】
　【００１１】
　【図１】沈砂池を含む雨水処理設備の縦断面図である。
　【図２】図１のＸ−Ｘ線の範囲の一部省略平面図である。
　【図３】図２のＹ１−Ｙ１線断面図である。
　【図４】図２のＹ２−Ｙ２線断面図である。
　【図５】図２のＹ３−Ｙ３線断面図である。
　【図６】給水系統図である。
　【図７】ノズルヘッダーの正面図である。
　【図８】ノズルヘッダーの沈砂池に対する取付状態を示す断面図である。
　【図９】ノズルヘッダーのノズルの構造例を示す拡大図である。
　【図１０】集砂装置の制御装置を説明する図である。
　【図１１】水位センサの説明図である。
　【図１２】揚砂ポンプ制御手段のフローチャート図である。
　【図１３】切換弁制御手段のフローチャート図である。
　【図１４】本発明の他の実施の形態を示す断面図である。
　【図１５】従来の集砂装置におけるノズルの取付状態を示す図である。
　【発明を実施するための形態】
　【００１２】
　続いて、本発明の実施の形態について図面を参照しながら説明する。
　図１において、１は雨水処理設備であり、側壁Ｗａ，Ｗｂ（図２参照）の間に形成された沈砂池２とポンプ井３とを有する。沈砂池２は図外の下水管から雨水や汚水等の下水が集められる流入渠４に接続されている。流入渠４の下流側端部には、流入渠４から沈砂池２への下水の流入を許容し又は阻止するためのダム装置５が設置され、そのダム装置５の下流側で、沈砂池２の上流側端部の直前に夾雑物捕捉用スクリーン６が設置されている。
　【００１３】
　沈砂池２の底面２ａは、低圧集砂を行うために上述したように、中央が最深となるように傾斜されているとともに、その中央に集砂ピット７が形成され、沈砂池の底部には側壁Ｗａ，Ｗｂの間において主トラフ８ａが沈砂池内水流方向と平行に集砂ピット側が深くなるように形成され、その側壁Ｗａ，Ｗｂの下端部から集砂ピット７まで下り傾斜する面（以下、集砂ピット傾斜面という。）８ｂが形成され、さらに、沈砂池の底面に側壁Ｗａ，Ｗｂの近傍から主トラフ８ａまで沈砂池内水流方向と直角方向に平行に延びる多数の小トラフ８ｃが形成されている。
　【００１４】
　また、後述される給水ポンプＰ２と揚砂ポンプＰ３の負担を軽減するため、沈砂池の底面は、主トラフ８ａの両側のそれぞれにおいて沈砂池内水流方向に複数の領域に区分されている。図２及び図８の例では８領域Ｂ１〜Ｂ８に区分されている。沈砂池の規模又は幅により、主トラフ８ａは一方の側壁に寄った位置に形成される場合がある。
　【００１５】
　また、主トラフ８ａの上端部と集砂ピット傾斜面８ｂの上端部にノズル９ａが設置され、各領域Ｂ１〜Ｂ８の側壁Ｗａ，Ｗｂに沿って多数のノズル９ｂが設置されている。さらに、集砂ピット７内に、集められた土砂を撹拌するためのノズル９ｃが設置されている。
　【００１６】
　領域Ｂ１〜Ｂ８に設置されるノズル９ｂは、各領域Ｂ１〜Ｂ８の側壁Ｗａ，Ｗｂの近傍に設置されたノズルヘッダーＮＨに複数個が等間隔に取り付けられている。図７は、分岐管１０を有する長さ４２００ｍｍの母管１１にノズル９ｂを５００ｍｍの等間隔で８個取り付けて構成されているノズルヘッダーＮＨの例を示す。
　【００１７】
　そして、図８に示すように、ノズルヘッダーＮＨのノズル９ｂは、沈砂池に下水が貯留されているときの通常の水面よりも上側に、一例として、沈砂池の底面の最高位置から１５００ｍｍ程度の高さに、側壁Ｗに水を下向きに噴射するように取り付けられている。ノズル９ｂの先端心から側壁Ｗまでの距離Ｄは、１５０〜４００ｍｍである。一例として、１個のノズルから噴射される水の圧力は０．００５ＭＰａ、吐出量は１５０リットル／分である。ノズルヘッダーＮＨのノズル９ｂが通常の水面よりも上側に設けてある場合は、その噴射水により、側壁Ｗに付着した汚れを除去できる利点がある。
　【００１８】
本発明の好ましい実施の形態においては、ノズルヘッダーＮＨの取付が容易にできるようにノズルヘッダーＮＨの側壁Ｗからの距離を確保しながら、ノズル９ｂの有効噴射力が得られるようにするため、図９に示されているような特定の構造を備えたノズル９ｂを使用している。
　【００１９】
　すなわち、ノズル９ｂは、直線状の基管（イ）と、４５度エルボ（ロ）と、ノズルヘッド（ハ）とから構成されていて、４５度エルボ（ロ）はその一端が基管（イ）の先端に螺合により結合され、他端がノズルヘッド（ハ）の基端に螺合により結合されている。
　【００２０】
　螺合により結合される４５度エルボ（ロ）とノズルヘッド（ハ）を用いる理由は、本発明で用いるノズルヘッド（ハ）は、給水ポンプの吐出圧力又はノズルヘッドに求められる吐出速度により、口径又は口形の異なるものに交換することが必要になる場合があるので、その交換を可能にするためである。従って、この実施の形態によれば、噴射条件が種々異なる場合でも、ノズルヘッド（ハ）を交換するだけで、沈砂池の底面の側壁側に土砂を残留させること無く、効率的な集砂を実現することができる。
　【００２１】
　そして、ポンプ井３には、排水ポンプＰ１と、滞留水ポンプを兼ねる給水ポンプＰ２とが設置され、集砂ピット７内に揚砂ポンプＰ３が設置されている。図１のＦは、沈砂池２の下流側端部に設置されているろ過機である。
　【００２２】
　図５，６に例示するように、ポンプ井３の給水ポンプＰ２からの水を前記各ノズル９ａ，９ｂ，９ｃに供給（通水）したり、その供給を止めたり（止水）するための電磁弁により構成されている切換弁群ＶＧ１，ＶＧ２、すなわち、トラフ用切換弁Ｖａと、各ノズルヘッダー用切換弁Ｖｂと、土砂撹拌ノズル用切換弁Ｖｃとが備えられている。これらの切換弁Ｖａ、Ｖｂ１〜Ｖｂ８、撹拌ノズル用切換弁Ｖｃは、後述される切換弁制御手段により所定の順序で通水状態又は止水状態に切換えられるように構成されている。
　【００２３】
　給水ポンプＰ２と切換弁群ＶＧ１，ＶＧ２とを結合する管路には、切換弁Ｖｄを介してリリーフ手段１２が設けられ、切換弁の全てが閉められている場合の給水ポンプＰ２からの水を沈砂池２に逃すように構成されている。
　【００２４】
　上記の実施の形態に係る集砂装置に備えられる制御装置１００には、図１０に例示するように、除砂始動ボタン（図示せず）を有する操作盤１０１が付加され、排水ポンプ制御手段ＰＣＯＮ１、給水ポンプ制御手段ＰＣＯＮ２及び揚砂ポンプ制御手段ＰＣＯＮ３が内蔵され、さらに、切換弁制御手段ＶＣＯＮが内蔵されている。切換弁制御手段ＶＣＯＮは、後述されるように、前記一群の切換弁Ｖａ，Ｖｂ，Ｖｃ，Ｖｄに所定の順序で開動作又は閉動作を駆動させるための制御信号を与えるものである。
　【００２５】
　また、制御装置１００には、集砂ピット７内に設置されて、その集砂ピット７内の水面が図１１に概念的に示す所定の高水位ＨＷＬ以上、中間水位ＭＷＬ及び低水位ＬＷＬのいずれにあるかを検知して出力する水位センサ１５が電気的に接続されている。
　【００２６】
　進んで、上記構成による作用を、沈砂池の領域が４個である場合について説明する。ダム装置５が開放されたときは、下水は沈砂池２に流入し、さらにポンプ井３まで流入して、その水位が所定の高さになると、除砂装置の制御装置１００の排水ポンプ制御手段ＰＣＯＮ１により、ポンプ井３に設けてある排水ポンプＰ１が運転されて、ポンプ井３内の水が汲み上げられ、図外の終末処理場等に移送される。
　【００２７】
　その移送の間に、沈砂池２に流入した土砂混じりの下水から土砂が沈殿し、沈砂池の底面２ａに堆積する。その堆積量が所定値に達すると、ダム装置５が閉鎖されて沈砂池２への下水の流入が阻止される。そして、排水ポンプＰ１による排水により沈砂池２とポンプ井３の水面が下がり、沈砂池２とポンプ井３の間に設けてある堰の上面と等しい所定の水位（図１のＷＬ）になると、排水ポンプ制御手段ＰＣＯＮ１により排水ポンプＰ１の運転が止められる。
　【００２８】
　ポンプ井３の水面が所定の水位（図１のＷＬ）になったことを検知すると、制御装置１００は給水ポンプ制御手段ＰＣＯＮ２、揚砂ポンプ制御手段ＰＣＯＮ３及び切換弁制御手段ＶＣＯＮを起動する。
　【００２９】
　揚砂ポンプ制御手段ＰＣＯＮ３は、図１２に示すように、揚砂ポンプＰ３の自動運転モードを開始させ（Ｓ１１）、水位センサ１５からの検知信号により集砂ピット７内の水面が所定の高水位ＨＷＬ以上か否かを調べ（Ｓ１２）、高水位ＨＷＬ以上であるときは、揚砂ポンプＰ３の運転を開始する（Ｓ１３）。
　【００３０】
　また、切換弁制御手段ＶＣＯＮは、図１３に示すように、最初、リリーフ手段１２の切換弁Ｖｄを開けて、給水ポンプＰ２の駆動の準備をする（図１３のステップＳ２１）。続いて、ノズル用切換弁Ｖａを開けた（Ｓ２２）後、リリーフ手段１２の切換弁Ｖｄを閉める（Ｓ２３）ので、給水ポンプＰ２からの水がノズル９ａから主トラフ８ａ及び集砂ピット傾斜面８ｂに噴出される。これにより、各トラフ内の土砂が水とともに集砂ピット７に向けて流される。
　【００３１】
　給水ポンプＰ２の吐出量よりも揚砂ポンプＰ３の吐出量が多いので、集砂ピット７内の水面は低下する。その水面が所定の中間水位になったことが水位センサ１５により検知されると（Ｓ２４においてＹのとき）、切換弁制御手段ＶＣＯＮは、第１領域Ｂ１のノズルヘッダー用切換弁Ｖｂ１を開ける（Ｓ２５）ため、そのノズルヘッダーの各ノズルから水が噴射され、第１領域Ｂ１に堆積していた土砂が主トラフに向けて流され、さらに集砂ピット７に流入する。こうして、集砂ピット７に集められ、撹拌された土砂混じりの下水は、揚砂ポンプＰ３により汲み上げられ、土砂沈砂池に移送される。これにより集砂ピット７内の水面は一時的に上昇するが、やがて低下する。
　【００３２】
　その水面が再び所定の中間水位になったことが水位センサ１５により検知されると（Ｓ２６においてＹのとき）、切換弁制御手段ＶＣＯＮは、第１領域Ｂ１のノズルヘッダー用切換弁Ｖｂ１を閉めるとともに、第２領域Ｂ２のノズルヘッダー用切換弁Ｖｂ２を開ける（Ｓ２７）ため、そのノズルヘッダーの各ノズルから水が噴射され、第２領域Ｂ２に堆積していた土砂が、主トラフに向けて流され、さらに集砂ピット７に流入する。
　【００３３】
　従って、第１領域の場合と同様に、集砂ピット７内の水面は一時的に上昇するがやがて低下するので、その水面が所定の中間水位になったとき（Ｓ２８においてＹのとき）に、切換弁制御手段ＶＣＯＮは、次の第２領域Ｂ２のノズルヘッダー用切換弁Ｖｂ２を閉めるとともに、さらにその次の第３領域Ｂ３のノズルヘッダー用切換弁Ｖｂ３を開ける（Ｓ２９）ため、そのノズルヘッダーの各ノズルから水が噴射される。
　【００３４】
　従って、第１領域の場合と同様に、集砂ピット７内の水面は一時的に上昇するがやがて低下するので、その水面が所定の中間水位になったときに（Ｓ２１０においてＹのとき）、切換弁制御手段ＶＣＯＮは、第３領域Ｂ３のノズルヘッダー用切換弁Ｖｂ３を閉めるとともに、第４領域Ｂ４のノズルヘッダー用切換弁Ｖｂ４を開ける（Ｓ２１１）ため、そのノズルヘッダーの各ノズルから水が噴射される。
　【００３５】
　従って、第１領域の場合と同様に、集砂ピット７内の水面は一時的に上昇するがやがて低下するので、その水面が所定の中間水位になったとき（Ｓ２１２においてＹのとき）に、切換弁制御手段ＶＣＯＮは、第４領域Ｂ４、すなわち、最後の領域に対する水噴射を終了したものと判断して、リリーフ手段の切換弁Ｖｄを開けるとともに、第４領域Ｂ４のノズルヘッダー用切換弁Ｖｂ４を閉める制御を行なって、一連の切換弁制御を完了する。また、給水ポンプ制御手段ＰＣＯＮ２も給水ポンプＰ２の運転を停止する。
　【００３６】
　他方、揚砂ポンプ制御手段ＰＣＯＮ３は、揚砂ポンプＰ３の運転開始時から水位センサ１５の検知状態を常に監視しており、第４領域Ｂ４のノズルヘッダー用切換弁Ｖｂ４を閉じたことにより、集砂ピット７内の水面が低水位ＬＷＬまで低下するので（Ｓ１４においてＹのとき）、揚砂ポンプＰ３の運転を停止する（Ｓ１５）。その後、揚砂ポンプ制御手段ＰＣＯＮ３は、切換弁の制御を完了したか否かを調べ（Ｓ１６）、完了していない場合はステップＳ１２に戻り、高水位になった場合（Ｓ１２においてＹのとき）は、再び揚砂ポンプＰ３の運転を開始するが、切換弁制御の完了を確認した（Ｓ１６においてＹのとき）後は、揚砂ポンプの自動運転モードを解除する（Ｓ１６）。
　【００３７】
　上述のように、揚砂ポンプＰ３は、自動運転モードを開始すると、集砂ピット７内を排水状態に維持するために、集砂ピット内の水面が所定の高水位ＨＷＬ以上にあるときは自動的に運転を開始し、その水面が所定の低水位ＬＷＬまで低下したときは自動的に運転を停止するが、本実施の形態においては、集砂ピット内の水面が所定の高水位ＨＷＬと所定の低水位ＬＷＬの間の中間水位ＭＷＬまで低下した時に、先順の領域のノズルヘッダー用切換弁を閉めるとともに、後順の領域のノズルヘッダー用切換弁を開けるので、それらの切換弁の切換動作の間に、集砂ピット内の水面は、先順の領域のノズルヘッダー用切換弁の閉動作による水噴射の停止、揚砂ポンプの汲み上げ及び後順の領域のノズルヘッダー用切換弁の開動作による水噴射の開始により変動するが、切換弁の切換動作の時間的基準となる中間水位を切換弁の切換動作の間に集砂ピット内の水面が所定の低水位まで低下しない高さ位置に設定すればよい。その高さ位置は、各ノズル及び各ノズルヘッダーの噴射量、集砂池の断面積、揚砂ポンプの吐出量などから算出可能である。
　【００３８】
　上記いずれの領域におけるノズルヘッダーのノズル９ｂも、上述のように、沈砂池の排水状態において、圧力０．００５ＭＰａの水をノズル１個当たり０．１５
ｍ３
　【００３９】
　一つのノズルから低圧で噴射される水は、側壁Ｗの壁面に広がるので、ノズルヘッダーのノズルの取付けピッチを、従来の４００〜５００ｍｍよりも大きい、例えば７５０ｍｍとすることができる。従って、１領域当たりのノズル数の削減を図ることができる。
　【００４０】
　ノズル９ｂから噴射される水を側壁Ｗから離れる方向に跳ね返らせずに、壁面に沿って流下させるため、ノズルからの噴射中心線の側壁の内面に対する入射角度（図８のθ１）を、１５〜６０度の範囲に設定することが望ましい。ノズル９ｂからの吐出量は、０．１５〜０．３
ｍ３
ｍ３
　【００４１】
　図９に示す実施の形態の場合は、ノズル９ｂが高い位置に設置してあるので、ノズルからの噴射水が位置エネルギーを利用して勢い良く側壁Ｗの壁面に沿って流下するため、壁面の汚れを洗浄できるばかりでなく、底面２ａの側壁至近位置から土砂を流し去ることができる利点と、沈砂池の非排水状態のときも、ノズル９ｂを下水中に浸漬させないことができるので、ノズルの特にヘッド内に汚れが付着することを避けることができる。
　【００４２】
　しかし、ノズル９ｂの設置位置を高所に限定する必要は無く、図１４に例示するように、側壁Ｗの低い位置に設置し、側壁Ｗと底面の接続部のわずか上側に向けて水を噴射させるようにしてもよい。この場合は、噴射水は側壁Ｗから勢いよく底面２ａに跳ね返るので、底面のどこにも土砂を残留させずに流し切ることができる。
　【符号の説明】
　【００４３】
１　　雨水処理施設
２　　沈砂池
３　　ポンプ井
５　　ダム装置
７　　集砂ピット
８ａ　主トラフ
８ｂ　集砂ピット傾斜面
８ｃ　小トラフ
９ａ　トラフ用ノズル
ＮＨ　ノズルヘッダー
１０　分岐管
１１　母管
９ｂ　ノズルヘッダーのノズル
イ　基管
ロ　エルボ
ハ　ノズルヘッド
９ｃ　撹拌ノズル
Ｐ１　排水ポンプ
Ｐ２　給水ポンプ
Ｐ３　揚砂ポンプ
（５７）【特許請求の範囲】
　【請求項１】
　ノズルから
排水状態の
池に低
前記沈砂池
　
前記ノズルには、前記沈砂池の側壁から斜め下方に離れた後、前記側壁に向かって斜め下方に延びるものを用い、
に下水が貯留されているときの通常の水面よりも上側において前記沈砂池の側壁の
　
前
前記
した
吐出量０．１５〜０．３ｍ３／分の
に対して１５〜６０度の入射角度をもって
前記
前記
　【請求項２】（削除）
　【請求項３】
　ノズルから排水状態の沈砂
池に低
前記沈砂池
　
前記ノズルに、母管に接続され、前記沈砂池の側壁から斜め下方に離れる基管と、その基管に結合されたエルボと、そのエルボに結合され、前記側壁に向かって斜め下方に延びるノズルヘッドとからなるノズルを用い、
　
前記ノズルを、
前記沈砂池に下水が貯留されているときの通常の水面よりも上側において
、
をもって
ら吐出量０．１５〜０．３ｍ３／分の